(57)【要約】    【課題】  小さな画面サイズの画像表示手段でも撮影画像の合焦個所および合焦状況を容易に且つ適確に視認することができ、実質的に失敗撮影を防止する。    【解決手段】  合焦確認モードは、再生画像のどの位置にどの程度合焦しているかを撮影者に認知させることによって、撮影者が容易に合焦状態を把握できるようにする。カメラプロセッサ１０４は、ＣＰＵブロック１０４−３等において実行される機能として、合焦確認モードにおいては、原再生画像からエッジ成分の画像を抽出し、抽出されたエッジ成分に必要に応じて彩色するなどの強調処理を施して、そのエッジ成分画像を原再生画像と重ね合わせる。このようにして、原再生画像のエッジ部が強調された画像が形成され、この画像をＬＣＤモニタ１０等の画像表示装置に表示する。【選択図】    図１
2010016783.tif 000002
【特許請求の範囲】
【請求項１】
被写体を撮像するための撮像手段と、
前記撮像手段により取得された撮影画像を再生する画像再生手段と、
前記画像再生手段により再生された再生画像を表示するための画像表示手段と
を有する撮像装置において、
前記再生画像から、該再生画像のエッジ成分を抽出するエッジ抽出処理手段と、
前記撮影画像におけるレンズ合焦位置を確認するための合焦確認モードを含む動作モードをユーザー操作に応じて選択設定するとともに、前記画像再生手段による画像再生時に前記合焦確認モードが選択された場合には、前記エッジ抽出処理手段のエッジ抽出処理によって再生画像のエッジ成分を抽出し、且つ抽出された前記エッジ成分と前記再生画像とを重ね合わせて前記画像表示手段に表示させるためのモード選択制御手段と、
をさらに含むことを特徴とする撮像装置。
【請求項２】
前記エッジ抽出処理手段は、前記再生画像に対して空間フィルタによるエッジ抽出フィルタ処理を行って該再生画像のエッジ成分を抽出する手段を含むことを特徴とする請求項１に記載の撮像装置。
【請求項３】
前記モード選択制御手段は、前記画像再生手段による画像再生時に前記合焦確認モードが選択され、前記エッジ抽出処理手段によって抽出された前記エッジ成分と前記再生画像とを重ね合わせて前記画像表示手段に表示させる際に、前記エッジ成分を、該エッジ成分の大きさに応じて色および濃度の少なくとも一方を異ならせて階調的に表示する手段を含むことを特徴とする請求項１または請求項２に記載の撮像装置。
【請求項４】
前記モード選択制御手段は、前記画像再生手段による画像再生時に前記合焦確認モードが選択され、前記エッジ抽出処理手段によって抽出された前記エッジ成分と前記再生画像とを重ね合わせて前記画像表示手段に表示させる際に、前記エッジ成分と前記再生画像とを重ね合わせた画像と、前記再生画像とを所定周期で交互に表示させる手段を含むことを特徴とする請求項１〜請求項３のいずれか１項に記載の撮像装置。
【請求項５】
前記モード選択制御手段は、
前記画像再生手段による画像再生時に前記合焦確認モードが選択され、前記エッジ抽出処理手段によって抽出された前記エッジ成分と前記再生画像とを重ね合わせて前記画像表示手段に表示させる際に、前記エッジ成分を、該エッジ成分の大きさに応じて色および濃度の少なくとも一方を異ならせて階調的に表示する手段と、
前記エッジ成分と前記再生画像とを重ね合わせて前記画像表示手段に表示させる際に、前記エッジ成分と前記再生画像とを重ね合わせた画像と、前記再生画像とを所定周期で交互に表示させる手段と、
を含むことを特徴とする請求項１または請求項２に記載の撮像装置。
【請求項６】
前記エッジ抽出処理手段は、エッジ抽出における抽出レベルのオフセット値を予め設定し、設定されたオフセット値以上のエッジのみをエッジとして抽出するオフセット処理手段を含むことを特徴とする請求項１〜請求項５のいずれか１項に記載の撮像装置。
【請求項７】
前記再生画像の撮影シーンの種類を判別する撮影シーン判別手段をさらに含み、且つ
前記エッジ抽出処理手段は、前記撮影シーン判別手段の判別結果に基づき、撮影シーンに応じてエッジ抽出処理のエッジ抽出特性を変更する手段を含むことを特徴とする請求項１〜請求項６のいずれか１項に記載の撮像装置。
【請求項８】
前記再生画像の撮影シーンの種類を判別する撮影シーン判別手段をさらに含み、且つ
前記エッジ抽出処理手段は、前記撮影シーン判別手段の判別結果に基づき、エッジ抽出フィルタ処理のフィルタ係数を撮影シーンに応じて変更する手段を含むことを特徴とする請求項７に記載の撮像装置。
【発明の詳細な説明】
【技術分野】
【０００１】
本発明は、被写体を撮像して電子的な画像データを取得し且つ該画像データを再生する撮像装置に係り、特に撮像された画像データにおける合焦状態の視認性を考慮した撮像装置に関するものである。
【背景技術】
【０００２】
いわゆるディジタルカメラや、カメラ内蔵型の携帯電話のようなカメラ機能を有する携帯電子機器等のように、被写体を撮像して電子的な画像データを取得し且つ該画像データを再生する撮像装置においては、多くの場合、撮影した画像を液晶ディスプレイ（ＬＣＤ）や有機ＥＬ（エレクトロルミネセンス）ディスプレイ等を用いた画像表示手段で再生して確認する機能を持っている。
この種の携帯電子機器等の撮像装置における画像表示手段は、年を追うごとに、画面サイズを大型化する傾向にはあるものの、携帯性が重視される機器であるために画像表示手段の大型化にも限界がある。したがって、画像表示手段の画面サイズを充分な大きさとすることができないので、撮影した画像を再生した場合に、撮影した画像を詳細に確認することは難しい。
また、撮影した画像を再生する場合に、確認のために画像の一部分を拡大して表示する機能を有する機器もあるが、撮像素子の多画素化の傾向もあり、撮影画像サイズは非常に大きくなっているため、このような部分拡大によって画像の細部を確認するためには、多くの時間と手間とが必要となる。さらに、このように、画像の一部分を拡大して確認することによって問題ないと判断した場合にも、その後にＰＣ（パーソナルコンピュータ、いわゆるパソコン）等に取り込んで大きな画面で確認してみると、拡大して確認した部分以外の部分でフォーカスが合っていなかったり、手振れ等により画像がボケてしまっていたりすることも少なくない。
【０００３】
このような場合、撮影画像は、ディジタル画像であるので、後からＰＣ等で編集して修正することができるとしても、フォーカスが合っていない画像を適正に且つ効果的に修正することは、極めて困難である。
そこで、撮影画像の合焦状態を確認するための画像表示手段の画面サイズが小さくても容易に且つ適確に合焦状態の確認を行えるようにすることが望ましい。従来より、撮影画像を単に表示すること以外に撮影画像の状態を表示する手法として、いくつかの方法が提案されている。
例えば、特許文献１（特許第３８１２８２４号公報）には、マニュアル操作でフォーカシングを行って撮像用のレンズの合焦位置を探す際に、コントラスト値に基づく合焦評価値を求め、レンズ位置に応じた合焦評価値の分布グラフを表示して、ユーザーが合焦位置を認識し易いようにすることが開示されている。また、特許文献２（特開２００７−３１１９６２号公報）には、撮影画像に対してコントラスト情報を算出し、コントラスト情報が所定値以上の画素については、コントラスト情報が所定値未満の画素と異なる態様で表示することが開示されている。そして、特許文献３（特開２００４−２１９９４３号公報）には、継続的にフォーカシングを行ういわゆるスルー画像表示やマニュアル操作にてフォーカシングを行う、マニュアルフォーカシングなどにおいてレンズの合焦位置を探す際に、周囲画素との輝度差が所定値よりも大きい画素については強調表示として、画像表示手段に表示することが開示されている。
【０００４】
しかしながら、これら特許文献１〜特許文献３等に示された方法は、いずれも輝度差等のコントラスト情報に基づくものである。そして、特許文献１に示された技術は、単にレンズ位置、つまり距離に対する合焦評価値の分布グラフの表示であり、画像空間における合焦状態を具体的に確認することはできない。
また、特許文献２に示された技術は、撮影画像の表示に際し、コントラスト値が所定値以上の画素と所定値以下の画素とで表示態様を異ならせるものであり、特許文献３に示された技術は、フォーカシングが行われている際に周囲画素との輝度差、すなわちコントラスト値が所定値よりも大きい画素を強調表示として、その他の画素と表示態様を異ならせるものであって、いずれも単にコントラスト値が大きい個所とそうでない個所とを異ならせて表示させるだけである。したがって、これら特許文献２および特許文献３の技術によれば、表示画像からある程度合焦状態にある部分とそうでない部分とを見分けることができると考えられるが、各部における合焦の度合いを詳細に且つ具体的に認識することはできない。
【０００５】
【特許文献１】特許第３８１２８２４号公報
【特許文献２】特開２００７−３１１９６２号公報
【特許文献３】特開２００４−２１９９４３号公報
【発明の開示】
【発明が解決しようとする課題】
【０００６】
本発明は、上述した事情に鑑みてなされたもので、小さな画面サイズの画像表示手段でも撮影画像の合焦個所および合焦状況を容易に且つ適確に視認することができ、実質的に失敗撮影を防止することを可能とする撮像装置を提供することを目的としている。
本発明の請求項１の目的は、エッジ成分を撮影画像上に表示し、小さな画面サイズの画像表示手段でも撮影画像の合焦個所および合焦状況を容易に且つ適確に視認することを可能とする撮像装置を提供することにある。
本発明の請求項２の目的は、特に、比較的簡単な構成および処理で、エッジ成分を撮影画像上に表示することを可能とする撮像装置を提供することにある。
本発明の請求項３の目的は、特に、さらにエッジ成分の大きさに対応する合焦の度合いを容易に且つ適確に視認することを可能とする撮像装置を提供することにある。
本発明の請求項４の目的は、特に、エッジ成分により撮影画像が阻害されることなく撮影画像をも適切に視認することを可能とする撮像装置を提供することにある。
本発明の請求項５の目的は、特に、合焦の度合いを容易に且つ適確に視認するとともに、撮影画像をも適切に視認することを可能とする撮像装置を提供することにある。
【０００７】
本発明の請求項６の目的は、特に、主要なエッジ成分のみを用いて、小さな画面サイズの画像表示手段でも撮影画像の合焦個所および合焦状況を容易に且つ適確に視認することを可能とする撮像装置を提供することにある。
本発明の請求項７の目的は、特に、撮影シーンの種類に応じて適切なエッジ成分を撮影画像上に表示し、小さな画面サイズの画像表示手段でも撮影画像の合焦個所および合焦状況をさらに容易に且つ適確に視認することを可能とする撮像装置を提供することにある。
本発明の請求項８の目的は、特に、比較的簡単な構成および処理で、撮影シーンの種類に応じた適切なエッジ成分を撮影画像上に表示し、小さな画面サイズの画像表示手段でも撮影画像の合焦個所および合焦状況を一層容易に且つ適確に視認することを可能とする撮像装置を提供することにある。
【課題を解決するための手段】
【０００８】
請求項１に記載した本発明に係る撮像装置は、上述した目的を達成するために、
被写体を撮像するための撮像手段と、
前記撮像手段により取得された撮影画像を再生する画像再生手段と、
前記画像再生手段により再生された再生画像を表示するための画像表示手段と
を有する撮像装置において、
前記再生画像から、該再生画像のエッジ成分を抽出するエッジ抽出処理手段と、
前記撮影画像におけるレンズ合焦位置を確認するための合焦確認モードを含む動作モードをユーザー操作に応じて選択設定するとともに、前記画像再生手段による画像再生時に前記合焦確認モードが選択された場合には、前記エッジ抽出処理手段のエッジ抽出処理によって再生画像のエッジ成分を抽出し、且つ抽出された前記エッジ成分と前記再生画像とを重ね合わせて前記画像表示手段に表示させるためのモード選択制御手段と、
をさらに含むことを特徴としている。
【０００９】
請求項２に記載した本発明に係る撮像装置は、請求項１の撮像装置であって、
前記エッジ抽出処理手段は、前記再生画像に対して空間フィルタによるエッジ抽出フィルタ処理を行って該再生画像のエッジ成分を抽出する手段を含むことを特徴としている。
【００１０】
請求項３に記載した本発明に係る撮像装置は、請求項１または請求項２の撮像装置であって、
前記モード選択制御手段は、前記画像再生手段による画像再生時に前記合焦確認モードが選択され、前記エッジ抽出処理手段によって抽出された前記エッジ成分と前記再生画像とを重ね合わせて前記画像表示手段に表示させる際に、前記エッジ成分を、該エッジ成分の大きさに応じて色および濃度の少なくとも一方を異ならせて階調的に表示する手段を含むことを特徴としている。
請求項４に記載した本発明に係る撮像装置は、請求項１〜請求項３のいずれか１項の撮像装置であって、
前記モード選択制御手段は、前記画像再生手段による画像再生時に前記合焦確認モードが選択され、前記エッジ抽出処理手段によって抽出された前記エッジ成分と前記再生画像とを重ね合わせて前記画像表示手段に表示させる際に、前記エッジ成分と前記再生画像とを重ね合わせた画像と、前記再生画像とを所定周期で交互に表示させる手段を含むことを特徴としている。
【００１１】
請求項５に記載した本発明に係る撮像装置は、請求項１または請求項２の撮像装置であって、
前記モード選択制御手段は、
前記画像再生手段による画像再生時に前記合焦確認モードが選択され、前記エッジ抽出処理手段によって抽出された前記エッジ成分と前記再生画像とを重ね合わせて前記画像表示手段に表示させる際に、前記エッジ成分を、該エッジ成分の大きさに応じて色および濃度の少なくとも一方を異ならせて階調的に表示する手段と、
前記エッジ成分と前記再生画像とを重ね合わせて前記画像表示手段に表示させる際に、前記エッジ成分と前記再生画像とを重ね合わせた画像と、前記再生画像とを所定周期で交互に表示させる手段と、
を含むことを特徴としている。
請求項６に記載した本発明に係る撮像装置は、請求項１〜請求項５のいずれか１項の撮像装置であって、
前記エッジ抽出処理手段は、エッジ抽出における抽出レベルのオフセット値を予め設定し、設定されたオフセット値以上のエッジのみをエッジとして抽出するオフセット処理手段を含むことを特徴としている。
【００１２】
請求項７に記載した本発明に係る撮像装置は、請求項１〜請求項６のいずれか１項の撮像装置であって、
前記再生画像の撮影シーンの種類を判別する撮影シーン判別手段をさらに含み、且つ
前記エッジ抽出処理手段は、前記撮影シーン判別手段の判別結果に基づき、撮影シーンに応じてエッジ抽出処理のエッジ抽出特性を変更する手段を含むことを特徴としている。
【００１３】
請求項８に記載した本発明に係る撮像装置は、請求項７の撮像装置であって、
前記再生画像の撮影シーンの種類を判別する撮影シーン判別手段をさらに含み、且つ
前記エッジ抽出処理手段は、前記撮影シーン判別手段の判別結果に基づき、エッジ抽出フィルタ処理のフィルタ係数を撮影シーンに応じて変更する手段を含むことを特徴としている。
【発明の効果】
【００１４】
本発明によれば、小さな画面サイズの画像表示手段でも撮影画像の合焦個所および合焦状況を容易に且つ適確に視認することができ、実質的に失敗撮影を防止することが可能な撮像装置を提供することができる。
すなわち、本発明の請求項１の撮像装置によれば、
被写体を撮像するための撮像手段と、
前記撮像手段により取得された撮影画像を再生する画像再生手段と、
前記画像再生手段により再生された再生画像を表示するための画像表示手段と
を有する撮像装置において、
前記再生画像から、該再生画像のエッジ成分を抽出するエッジ抽出処理手段と、
前記撮影画像におけるレンズ合焦位置を確認するための合焦確認モードを含む動作モードをユーザー操作に応じて選択設定するとともに、前記画像再生手段による画像再生時に前記合焦確認モードが選択された場合には、前記エッジ抽出処理手段のエッジ抽出処理によって再生画像のエッジ成分を抽出し、且つ抽出された前記エッジ成分と前記再生画像とを重ね合わせて前記画像表示手段に表示させるためのモード選択制御手段と、
をさらに含むことにより、エッジ成分を撮影画像上に表示し、小さな画面サイズの画像表示手段でも撮影画像の合焦個所および合焦状況を容易に且つ適確に視認することが可能となる。
【００１５】
また、本発明の請求項２の撮像装置によれば、請求項１の撮像装置において、
前記エッジ抽出処理手段は、前記再生画像に対して空間フィルタによるエッジ抽出フィルタ処理を行って該再生画像のエッジ成分を抽出する手段を含むことにより、
特に、比較的簡単な構成および処理で、エッジ成分を撮影画像上に表示することが可能となる。
本発明の請求項３の撮像装置によれば、請求項１または請求項２の撮像装置において、
前記モード選択制御手段は、前記画像再生手段による画像再生時に前記合焦確認モードが選択され、前記エッジ抽出処理手段によって抽出された前記エッジ成分と前記再生画像とを重ね合わせて前記画像表示手段に表示させる際に、前記エッジ成分を、該エッジ成分の大きさに応じて色および濃度の少なくとも一方を異ならせて階調的に表示する手段を含むことにより、特に、さらにエッジ成分の大きさに対応する合焦の度合いを容易に且つ適確に視認することが可能となる。
【００１６】
本発明の請求項４の撮像装置によれば、請求項１〜請求項３のいずれか１項の撮像装置において、
前記モード選択制御手段は、前記画像再生手段による画像再生時に前記合焦確認モードが選択され、前記エッジ抽出処理手段によって抽出された前記エッジ成分と前記再生画像とを重ね合わせて前記画像表示手段に表示させる際に、前記エッジ成分と前記再生画像とを重ね合わせた画像と、前記再生画像とを所定周期で交互に表示させる手段を含むことにより、特に、エッジ成分により撮影画像が阻害されることなく撮影画像をも適切に視認することが可能となる。
本発明の請求項５の撮像装置によれば、請求項１または請求項２の撮像装置において、
前記モード選択制御手段は、
前記画像再生手段による画像再生時に前記合焦確認モードが選択され、前記エッジ抽出処理手段によって抽出された前記エッジ成分と前記再生画像とを重ね合わせて前記画像表示手段に表示させる際に、前記エッジ成分を、該エッジ成分の大きさに応じて色および濃度の少なくとも一方を異ならせて階調的に表示する手段と、
前記エッジ成分と前記再生画像とを重ね合わせて前記画像表示手段に表示させる際に、前記エッジ成分と前記再生画像とを重ね合わせた画像と、前記再生画像とを所定周期で交互に表示させる手段とを含むことにより、特に、合焦の度合いを容易に且つ適確に視認するとともに、撮影画像をも適切に視認することが可能となる。
【００１７】
本発明の請求項６の撮像装置によれば、請求項１〜請求項５のいずれか１項の撮像装置において、
前記エッジ抽出処理手段は、エッジ抽出における抽出レベルのオフセット値を予め設定し、設定されたオフセット値以上のエッジのみをエッジとして抽出するオフセット処理手段を含むことにより、特に、主要なエッジ成分のみを用いて、小さな画面サイズの画像表示手段でも撮影画像の合焦個所および合焦状況を容易に且つ適確に視認することが可能となる。
本発明の請求項７の撮像装置によれば、請求項１〜請求項６のいずれか１項の撮像装置において、
前記再生画像の撮影シーンの種類を判別する撮影シーン判別手段をさらに含み、且つ
前記エッジ抽出処理手段は、前記撮影シーン判別手段の判別結果に基づき、撮影シーンに応じてエッジ抽出処理のエッジ抽出特性を変更する手段を含むことにより、特に、撮影シーンの種類に応じて適切なエッジ成分を撮影画像上に表示し、小さな画面サイズの画像表示手段でも撮影画像の合焦個所および合焦状況をさらに容易に且つ適確に視認することが可能となる。
【００１８】
本発明の請求項８の撮像装置によれば、請求項７の撮像装置において、
前記再生画像の撮影シーンの種類を判別する撮影シーン判別手段をさらに含み、且つ
前記エッジ抽出処理手段は、前記撮影シーン判別手段の判別結果に基づき、エッジ抽出フィルタ処理のフィルタ係数を撮影シーンに応じて変更する手段を含むことにより、特に、比較的簡単な構成および処理で、撮影シーンの種類に応じた適切なエッジ成分を撮影画像上に表示し、小さな画面サイズの画像表示手段でも撮影画像の合焦個所および合焦状況を一層容易に且つ適確に視認することが可能となる。
【発明を実施するための最良の形態】
【００１９】
以下、本発明に係る実施の形態に基づき、図面を参照して本発明の撮像装置を詳細に説明する。
図１〜図４は、本発明の一つの実施の形態に係る撮像装置としてのディジタルカメラの要部の構成を示している。図１は、ディジタルカメラの制御系のシステム構成の概要を示すブロック図である。図２、図３および図４は、図１のディジタルカメラの外観構成を示しており、それぞれ、このディジタルカメラの平面図、正面図および背面図である。
図２〜図４に示すディジタルカメラは、サブＬＣＤ（サブ液晶ディスプレイ）１、レリーズボタン２、ストロボ発光部３、撮影／再生切り換えダイヤル４、測距ユニット５、リモコン（リモートコントロール）受光部６、鏡胴ユニット７、ＡＦ表示用ＬＥＤ（オートフォーカス表示用発光ダイオード）８、ストロボ表示用ＬＥＤ（ストロボ表示用発光ダイオード）９、ＬＣＤモニタ（液晶ディスプレイモニタ）１０、光学ファインダ１１（対物面側１１ａ、接眼部側１１ｂ）、ズームボタン１２、電源スイッチ１３、操作キー部１４およびメモリカード装填部１５を、カメラボディＣＢ外面に覗かせて、備えている。
【００２０】
また、図１に示す制御系は、図２〜図４に示されたサブＬＣＤ１、測距ユニット５、リモコン受光部６、鏡胴ユニット７、ＡＦ表示用ＬＥＤ８、ストロボ表示用ＬＥＤ９およびＬＣＤモニタ１０に加えて、撮像素子１０１、フロントエンド部１０２、ＳＤＲＡＭ（シンクロナスダイナミックランダムアクセスメモリ）１０３、カメラプロセッサ１０４、ＲＡＭ（ランダムアクセスメモリ）１０７、ＲＯＭ（リードオンリメモリ）１０８、サブＣＰＵ（サブ中央処理部）１０９、操作部１１０、サブＬＣＤドライバ１１１、ブザー１１３、ストロボ回路１１４、音声記録ユニット１１５、音声再生ユニット１１６、ＬＣＤドライバ１１７、ビデオアンプ（ビデオ増幅器）１１８、ビデオコネクタ１１９、内蔵メモリ１２０、メモリカードスロット１２１、ＵＳＢ（ユニバーサルシリアルバス）コネクタ１２２およびシリアルインタフェース部１２３を備えている。
鏡胴ユニット７は、ズームレンズ７−１ａおよびズームモータ７−１ｂを含むズーム光学系７−１、フォーカスレンズ７−２ａおよびフォーカスモータ７−２ｂを含むフォーカス光学系７−２、絞り７−３ａおよび絞りモータ７−３ｂを含む絞りユニット７−３、シャッタ７−４ａおよびシャッタモータ７−４ｂを含むシャッタユニット７−４、並びにモータドライバ７−５を有している。
【００２１】
フロントエンド部１０２は、ＣＤＳ（相関２重サンプリング部）１０２−１、ＡＧＣ（自動利得制御部）１０２−２、Ａ／Ｄ（アナログ−ディジタル）変換部１０２−３およびＴＧ（タイミングジェネレータ）１０２−４を有している。
カメラプロセッサ１０４は、第１の撮像信号処理ブロック１０４−１、第２の撮像信号処理ブロック１０４−２、ＣＰＵ（中央処理部）ブロック１０４−３、ローカルＳＲＡＭ（ローカルスタティックランダムアクセスメモリ）１０４−４，ＵＳＢ処理ブロック１０４−５、シリアル処理ブロック１０４−６、ＪＰＥＧコーデック（ＣＯＤＥＣ）ブロック１０４−７、リサイズ（ＲＥＳＩＺＥ）ブロック１０４−８、ビデオ信号表示ブロック１０４−９およびメモリカードコントローラブロック１０４−１０を有している。
【００２２】
操作部１１０は、図２〜図４に示すレリーズボタン２、撮影／再生切り換えダイヤル４、ズームボタン１２、電源スイッチ１３および操作キー部１４を含んでいる。
【００２３】
音声記録ユニット１１５は、音声記録回路１１５−１、マイクアンプ１１５−２およびマイク（マイクロフォン）１１５−３を有しており、音声再生ユニット１１６は、音声再生回路１１６−１、オーディオアンプ（オーディオ増幅器）１１６−２およびスピーカ１１６−３を有している。シリアルインタフェース部１２３は、シリアルドライバ回路１２３−１およびシリアルコネクタ１２３−２を有している。
【００２４】
図２に示すように、カメラボディＣＢの上面には、サブＬＣＤ１、レリーズボタン２および撮影／再生切り換えダイヤル４が配置されている。サブＬＣＤ１は、例えば、撮影可能枚数等を表示するための表示部として用いられる。また、図３に示すように、カメラボディＣＢの正面には、ストロボ発光部３、測距ユニット５、リモコン受光部６、鏡胴ユニット７および光学ファインダ１１の対物面側１１ａが配置されている。カメラボディＣＢの物体（被写体）側から見て左側面には、メモリカードＭＣを装填するためのメモリカード装填部１５が配設されている。このメモリカード装填部１５の内部にメモリカードスロット１２１が設けられていて、このメモリカードスロット１２１にメモリカードＭＣを挿入することによってメモリカードＭＣを装填する。さらに、図４に示すように、カメラボディＣＢの背面には、ＡＦ表示用ＬＥＤ８、ストロボ表示用ＬＥＤ９、ＬＣＤモニタ１０、光学ファインダ１１の接眼部側１１ｂ、ズームボタン１２、電源スイッチ１３および操作キー部１４が配置されている。
【００２５】
次に、図１〜図４を参照してディジタルカメラの基本的な動作を説明する。図１〜図４において、ストロボ発光部３およびストロボ回路１１４は、被写体における自然光等の光量が足りない場合に光量を補うために用いる。すなわち、暗い場所の撮影や被写体が暗い場合の撮影には、カメラプロセッサ１０４からストロボ回路１１４にストロボ発光信号を送信することによって、ストロボ回路１１４は、ストロボ発光部３を発光させて被写体を照明する。測距ユニット５は、カメラ本体と被写体との間の距離、つまり被写体距離、を計測する。現在、この種のディジタルカメラにおける自動フォーカシング（ＡＦ）には、鏡胴ユニット７の光学系によって撮像素子１０１に結像された被写体像のコントラスト情報を検出し、最もコントラスト値の高い位置に光学系、すなわちフォーカスレンズ７−２ａを移動させてフォーカスを合わせる、いわゆるＣＣＤ−ＡＦ方式が用いられている。しかしながら、このＣＣＤ−ＡＦ方式は、フォーカスレンズ７−２ａを少しずつ移動させつつコントラスト値を求めているため、フォーカシング動作が遅いという問題があった。そこで、測距ユニット５を用いて、被写体距離情報を常に取得し、被写体距離情報に基づいて、被写体距離近傍に対応する位置までフォーカスレンズ７−２ａを一気に移動させて、フォーカス動作を高速化するようにしている。
【００２６】
温度センサ（図示せず）は、環境温度を測定するものであり、カメラボディＣＢ内外の温度を測定し、温度が異常に上昇している場合には、カメラの電源を落として保護するなど、温度センサの測定データを参照し、それに応じて当該カメラの制御内容を変更する。
鏡胴ユニット７は、被写体の光学像を取り込み撮像素子１０１に結像する撮像光学系における焦点距離を変更させるためのズームレンズ７−１ａおよびこのズームレンズ７−１ａを駆動するズームモータ７−１ｂを含むズーム光学系７−１と、撮像光学系における合焦点を移動させるためのフォーカスレンズ７−２ａおよびこのフォーカスレンズ７−２ａを駆動するフォーカスモータ７−２ｂを含むフォーカス光学系７−２と、撮影光学系における開口口径を絞るための絞り７−３ａおよびこの絞り７−３ａを駆動する絞りモータ７−３ｂを含む絞りユニット７−３と、撮影光学系の光路を機械的に開閉するメカニカルシャッタからなるシャッタ７−４ａおよびこのシャッタ７−４ａを開閉駆動するシャッタモータ７−４ｂを含むシャッタユニット７−４と、各モータ７−１ｂ〜７−４ｂを駆動するモータドライバ７−５とを有している。そして、モータドライバ７−５は、リモコン受光部６からの入力や操作部１１０の操作入力に基づく、カメラプロセッサ１０４内のＣＰＵブロック１０４−３からの駆動指令によって駆動制御される。
【００２７】
ＲＯＭ１０８には、ＣＰＵブロック１０４−３にて解読可能なプログラムコードで記述された、制御プログラムや制御するためのパラメータ等が格納されている。操作部１１０の電源スイッチ１３の操作によって、このディジタルカメラの電源がオン状態になると、制御プログラムがＳＤＲＡＭ１０３にロードされ、ＣＰＵブロック１０４−３は、その制御プログラムに従って装置各部の動作を制御するとともに、制御に必要なデータ等を、一時的に、ＲＡＭ１０７およびカメラプロセッサ１０４内のローカルＳＲＡＭ１０４−４に保存する。ＲＯＭ１０８を、書き換え可能なフラッシュメモリを用いて構成すれば、制御プログラムや制御するためのパラメータ等を変更することが可能となり、機能のバージョンアップを容易に行うことができる。
撮像素子１０１は、典型的には、ＣＣＤ（電荷結合素子）撮像素子またはＣＭＯＳ（相補型金属酸化物半導体）撮像素子等の固体撮像素子を用いて構成され、光学像を光電変換して電子的な画像信号に変換する。
【００２８】
フロントエンド部１０２は、ＣＤＳ１０２−１、ＡＧＣ１０２−２、Ａ／Ｄ変換部１０２−３およびＴＧ１０２−４を有し、これら各部は、カメラプロセッサ１０４のＣＰＵブロック１０４−３によって制御される。ＣＤＳ１０２−１では、撮像素子１０１より得られた画像信号の相関二重サンプリングを行って画像ノイズを除去し、ＡＧＣ１０２−２では、画像ノイズが除去された画像信号の利得調整を行い、Ａ／Ｄ変換部１０２−３では、利得調整された画像信号をＡ／Ｄ変換（アナログ−ディジタル変換）によりディジタル信号に変換して、カメラプロセッサ１０４の第１の撮像信号処理ブロック１０４−１に与える。これらＣＤＳ１０２−１、ＡＧＣ１０２−２、Ａ／Ｄ変換部１０２−３の信号処理動作は、カメラプロセッサ１０４の第１の撮像信号処理ブロック１０４−１から出力されるＶＤ・ＨＤ（垂直駆動・水平駆動）信号により、ＴＧ１０２−４を介して制御される。ＴＧ１０２−４は、第１の撮像信号処理ブロック１０４−１から出力されるＶＤ・ＨＤ信号に応動して、フロントエンド部１０２のＣＤＳ１０２−１、ＡＧＣ１０２−２およびＡ／Ｄ変換部１０２−３に駆動タイミング信号を与えるとともに、撮像素子１０１に駆動タイミング信号を与える。この場合、フロントエンド部１０２は、ＣＤＳ１０２−１、ＡＧＣ１０２−２、Ａ／Ｄ変換部１０２−３およびＴＧ１０２−４を同一ＩＣ（集積回路）チップ上に実装して、フロントエンドＩＣとして構成したものを用いることが望ましいが、個別回路で構成してもよい。
【００２９】
カメラプロセッサ１０４の第１の撮像信号処理ブロック１０４−１は、上述したようにフロントエンド部１０２のＴＧ１０２−４にＶＤ信号およびＨＤ信号を供給するとともに、撮像素子１０１からフロントエンド部１０２を介して与えられたディジタル撮像信号データに対してホワイトバランス調整およびガンマ調整等の信号処理を行う。カメラプロセッサ１０４の第２の撮像信号処理ブロック１０４−２は、ディジタル撮像信号データに対してフィルタリング処理を施すことによって、原ＲＧＢ（ＲＡＷ−ＲＧＢ）データから輝度および色差データ、すなわちＹＵＶ（ＹＣｂＣｒ）データ、等への変換を行う。カメラプロセッサ１０４のＣＰＵブロック１０４−３は、当該カメラ内各部の動作を適正に制御する。カメラプロセッサ１０４のローカルＳＲＡＭ１０４−４は、上述したように、ＣＰＵブロック１０４−３による制御に必要なデータ等を、一時的に保存する。
さらに、カメラプロセッサ１０４においては、ＵＳＢ処理ブロック１０４−５は、ＵＳＢ規格に従ってＰＣ等の外部機器と接続し、外部機器との間で通信を行うためのＵＳＢ信号処理を行い、シリアル処理ブロック１０４−６は、ＲＳ−２３２Ｃ等のシリアル通信規格に従ってＰＣ等の外部機器と接続し、外部機器との間で通信を行うためのシリアル信号処理を行い、ＪＰＥＧコーデックブロック１０４−７は、画像データに対するＪＰＥＧ圧縮／伸張を行い、リサイズブロック１０４−８は、外挿／内挿等の補間処理により画像データのサイズを拡大／縮小し、ビデオ信号表示ブロック１０４−９は、画像データをＬＣＤモニタ１０やＴＶ等の外部表示機器に表示するためのビデオ信号に変換し、メモリカードコントローラブロック１０４−１０は、メモリカード装填部１５内のメモリカードスロット１２１に装填されたメモリカードＭＣに、撮影された撮像画像データを記録し、メモリカードＭＣに記録された撮像画像データを再生するためのメモリカードＭＣの書き込み／読み出し制御を行う。
【００３０】
ＳＤＲＡＭ１０３は、カメラプロセッサ１０４において画像データに各種の処理を施す際に、画像データを一時的に保存する。保存される画像データは、例えば、撮像素子１０１からフロントエンド部１０２を介して取り込んだ画像データに、第１の撮像信号処理ブロック１０４−１にてホワイトバランス調整およびガンマ調整が行われた状態の原ＲＧＢ画像データや、同様に取り込んだ画像データが第２の撮像信号処理ブロック１０４−２にて輝度データ（Ｙ）と色差データ（Ｕ（Ｃｂ），Ｖ（Ｃｒ））に変換された状態のＹＵＶ（ＹＣｂＣｒ）画像データや、ＪＰＥＧコーデックブロック１０４−７にて、ＪＰＥＧ圧縮エンコードされたＪＰＥＧ画像データなどである。
メモリカードスロット１２１は、撮影した画像データを記憶するためのメモリカードＭＣを着脱可能に装填するためのコネクタスロットであり、装填されたメモリカードＭＣは、このメモリカードスロット１２１を介してメモリカードコントローラブロック１０４−１０による書き込み／読み出し制御が行われる。内蔵メモリ１２０は、撮影した画像データを記憶するためのメモリであり、メモリカードスロット１２１にメモリカードがＭＣ装着されていない場合であっても、撮影した画像データを記憶することができるようにするために設けられている。
【００３１】
ＬＣＤドライバ１１７は、ＬＣＤモニタ１０を駆動するドライブ回路であり、ビデオ信号表示ブロック１０４−９から出力されたビデオ信号を、ＬＣＤモニタ１０に表示するための信号に変換する機能をも有している。ＬＣＤモニタ１０は、撮影前に被写体の状態を監視するための画像表示、撮影した画像を確認するための撮像画像表示、そしてメモリカードＭＣや内蔵メモリ１２０に記録された画像データの表示、などを行うためのモニタである。
ビデオアンプ１１８は、ビデオ信号表示ブロック１０４−９から出力されたビデオ信号を、７５Ωインピーダンス出力にインピーダンス変換する。ビデオジャック１１９は、ビデオアンプ１１８の７５Ωインピーダンス出力をＴＶ等の外部表示機器に接続するためのコネクタである。
ＵＳＢコネクタ１２２は、ＰＣ等の外部機器にＵＳＢ接続するためのコネクタである。シリアルドライバ回路１２３−１およびシリアルコネクタ１２３−２を備えるシリアルインタフェース部１２３は、標準化されたシリアル通信規格、例えばＲＳ−２３２Ｃ規格等、に従ってＰＣ等の外部機器とシリアル通信を行うためのインタフェースを構成している。シリアルドライバ回路１２３−１は、シリアル処理ブロック１０４−６の出力信号を電圧変換する回路であり、シリアルコネクタ１２３−２は、シリアルドライバ回路１２３−１で電圧変換されたシリアル出力をＰＣ等の外部機器に接続する。
【００３２】
サブＣＰＵ１０９は、例えば同一チップ上にＲＯＭ・ＲＡＭを内蔵したマイクロプロセッサ等のＣＰＵであり、操作部１１０やリモコン受光部６等の出力信号をユーザーの操作情報として、カメラプロセッサ１０４のＣＰＵブロック１０４−３に与えたり、ＣＰＵブロック１０４−３から出力されるカメラの状態情報に基づいて、サブＬＣＤ１、ＡＦ表示用ＬＥＤ８、ストロボ表示用ＬＥＤ９およびブザー１１３に制御信号を供給したりする。
サブＬＣＤ１は、例えば、撮影可能枚数等を表示するための表示部であり、サブＬＣＤドライバ１１１は、サブＣＰＵ１０９の出力信号に基づいてサブＬＣＤ１を駆動する回路である。ＡＦ表示用ＬＥＤ８は、撮影時の合焦状態を表示するためのＬＥＤであり、ストロボ表示用ＬＥＤ９は、ストロボ発光用コンデンサの充電が完了して発光可能となっているか否か等の発光準備状態を表示するためのＬＥＤである。なお、これらＡＦ表示用ＬＥＤ８とストロボ表示用ＬＥＤ９とを、他の表示用途、例えば、メモリカードＭＣのアクセス中を示す表示に使用するなどしても良い。操作部１１０は、ユーザーが操作する操作キー、操作スイッチおよび操作ボタン等であり、この場合、レリーズボタン２、撮影／再生切り換えダイヤル４、ズームボタン１２、電源スイッチ１３および操作キー部１４等を含んでいる。
【００３３】
リモコン受光部６は、ユーザーが操作するリモコン送信機（図示していない）からの赤外線のような光信号を受信する。
音声記録ユニット１１５は、ユーザーが音声信号を入力するためのマイク１１５−３、マイク１１５−３に入力された音声信号を増幅するマイクアンプ１１５−２、マイクアンプ１１５−２で増幅された音声信号を記録する音声記録回路１１５―１を有している。また、音声再生ユニット１１６は、記録された音声信号をスピーカから出力再生するための信号に変換する音声再生回路１１６−１、音声再生回路１１６−１で変換された音声信号を増幅してスピーカー１１６−３を駆動するためのオーディオアンプ１１６−２および音声信号を出力するスピーカー１１６−３を有している。
次に、上述のように構成されたディジタルカメラにおける本発明の特徴となる構成および動作について具体的に説明する。
【００３４】
〔本発明の動作フロー〕
図５に本発明の一つの実施の形態の合焦確認モードにおける動作のフローチャートを示す。操作部１１０の画像の再生を指示する再生ボタンがユーザーによって押されると（ステップＳ１）、ディジタルカメラは、画像再生モードに移行し画像を再生する（ステップＳ２）。
次に、ユーザーにより合焦確認モードが選択されているか否かが判定され（ステップＳ３）、ユーザーにより合焦確認モードが選択されていると、本発明の特徴となる合焦位置を表示するモードに移行する。合焦確認モードの選択には、画像再生モード時に操作部１１０に含まれる操作キー部１４の１つのキーを合焦確認モード選択スイッチとして割り当てる。ステップＳ３において、合焦確認モードが選択されていない場合には、通常の画像再生のままとなり、画像再生が終了すれば処理を終了して待機状態となる。
【００３５】
〔エッジ抽出方法〕
ステップＳ３において、合焦確認モードが選択されていると、再生画像からエッジ成分を抽出するエッジ抽出処理を行う（ステップＳ４）。この場合、エッジ抽出の方法としては、例えばエッジ抽出フィルタを用いてエッジを抽出する方法を用いる。
現在、ディジタルカメラやカメラ付き携帯電話等の撮像装置で撮影される画像データのファイルフォーマットは、ＪＰＥＧ形式が主流であり、画像データは、Ｙ、Ｃｂ、Ｃｒの各信号からなる、いわゆるＹＵＶ信号で記録されたＪＰＥＧデータとなっている。この場合、Ｙ信号は、輝度信号で明るさを示しており、Ｃｂ（Ｕ）信号およびＣｒ（Ｖ）信号は、色差信号でそれぞれ異なる色味を示している。
一種の空間フィルタであるエッジ抽出フィルタを用いるフィルタリングによるエッジ抽出処理においては、再生画像の輝度信号Ｙを使用する。
図６は、画像撮影時の画像処理に使用されるエッジ強調処理を模式的に示す機能ブロック図を示している。
【００３６】
エッジ強調処理部４０は、エッジ抽出フィルタ部４１、ゲイン乗算部４２、ローパスフィルタ（ＬＰＦ）部４３およびデータ加算部４４とを有しており、再生画像の輝度信号Ｙを受けて、エッジ成分を強調した輝度信号Ｙを得る。エッジ抽出フィルタ部４１は、画像の輝度信号Ｙからエッジ部分を抽出する空間フィルタである。ゲイン乗算部４２は、エッジ抽出フィルタ部４１により抽出されたエッジ成分を所定のゲインで増幅するが、この処理は、当該エッジ成分に強調の度合いを決定するゲインを乗じることに相当する。ローパスフィルタ部４３は、エッジ抽出フィルタ部４１およびゲイン乗算部４２によるエッジ抽出およびエッジ強調と並行して画像における比較的高周波のノイズを除去する。データ加算部４４は、ゲイン乗算部４２によるゲイン乗算後のエッジ抽出データとローパスフィルタ部４３によるローパスフィルタ処理後の画像データとを加算合成する（ステップＳ５）。
【００３７】
エッジ抽出フィルタ部４１およびローパスフィルタ部４３におけるフィルタは、それぞれ図７および図８に示すように５×５および３×３のマトリクスの空間フィルタである。図７のエッジ抽出フィルタは、図示のように、フィルタ係数を、中央を４、その外側の上下左右を２、斜め方向四隅を０、さらにその外側の四隅を除く上下左右３マトリクスずつを−１、残った四隅を０として、全体のフィルタ係数の合計が０となり、図８のローパスフィルタは、図示のように、フィルタ係数を、中央を４／１２、その外側の上下左右を２／１２、斜め方向四隅を０として、全体のフィルタ係数の合計が１となるのが特徴である。エッジ抽出フィルタは、フィルタ係数によってエッジの検出方向やエッジの抽出量が変わるため、フィルタ係数は重要なパラメータである。
ゲイン乗算部４２では、エッジ抽出フィルタ部４１により抽出されたエッジ成分にゲインを乗算してエッジ成分の強調度を調整する機能がある。すなわち、ゲインが大きい場合には、エッジ成分が大きく強調され、ゲインが小さい場合には、エッジ強調が弱くなる。また、ゲイン乗算部４２は、エッジ強調度に所定のリミット値を設けて、ゲイン乗算によりエッジ量が大きくなりエッジ強調度がリミット値に達した場合には、エッジ強調度を所定値にクリップして飽和させる機能も有している。
【００３８】
データ加算部４４では、エッジ抽出フィルタ部４１により抽出され、ゲイン乗算部４２でゲインが乗算されたエッジ成分と、ローパスフィルタ部４３によりノイズが除去されたベース画像成分とを加算する。また、データ加算部４４は、加算時にエッジ成分とベース画像成分の加算比率を変更できる機能をも有している。すなわち、エッジ成分の加算比率を変更することによって、エッジ強調レベルを変更することができる。
合焦確認モード時においてもこのエッジ強調処理部４０を用いるのであるが、その場合、エッジ抽出フィルタ部４１の機能を有効にし、ゲイン乗算部４２は等倍処理、ローパスフィルタ部４３は全ての係数を０として輝度信号を遮断し、エッジ成分だけが抽出されるようにする。
すなわち、図５に示すフローチャートにおいて、ステップＳ４においてエッジ抽出フィルタ部４１によって原再生画像からエッジ成分の画像を抽出した後、必要に応じてゲイン乗算部４２でエッジ成分の強調度合いを調整する。
【００３９】
このエッジ強調処理部４０は、機能ブロックとして示したが、ソフトウェアによってもハードウェアによっても構成することができ、カメラプロセッサ１０４内の専用の機能ブロックとして構成しても良く、第１の撮像信号処理ブロック１０４−１および第２の撮像信号処理ブロック１０４−２の少なくとも一方を同様の機能を達成するように構成しても良く、(ＲＯＭ１０８から読み出されて)ＣＰＵブロック１０４−３によって実行される制御プログラムに含まれるソフトウェア処理によって構成しても良い。
図９は再生画像の一例を示しており、図１０は図９の再生画像からエッジ強調処理部４０を用いてエッジ成分を抽出した画像の一例を示している。図１０に示すエッジ抽出後の画像においては、リンゴの輪郭部分はエッジ成分が大きいためはっきりした太い線となっている。一方、リンゴの表面部分は所々に大きなエッジがあるものの、リンゴの輪郭部分に比べてエッジ成分が小さいため細かく細い点や線となっている。また、リンゴの周辺はエッジ成分が無いため黒くなっておりエッジ成分は検出されていない。
【００４０】
〈オフセット処理〉
本発明に係る合焦確認モードは、再生画像のどの位置にどの程度合焦しているかを撮影者に認知させることによって、撮影者が容易に合焦状態を把握できるようにすることを実質的な目的としている。そのため、ある程度大きなエッジ成分のみが必要であって、細かなエッジ成分はあまり重要ではない。
図１１に示すエッジ成分の画像は、図１０のエッジ抽出画像におけるエッジ成分のうちで大きさが所定の値以上であるエッジ成分のみを抜き出した画像であり、微細なエッジ成分を除去した画像の例を示している（以下、この処理を「オフセット処理」と称する）。図１１から明らかなように、リンゴのヘタ付近にエッジ成分が強く出ており、この近傍が合焦位置であることを推定することができる。また、図１０と図１１とを比較すると、図１１のほうは、大きなエッジ成分しか示されておらず、主要なエッジ成分のみに整理されて全体としての情報量が少ないため、容易にエッジ成分が大きな部分を見つけることができる。
【００４１】
なお、オフセット処理に使用する所定の値、すなわちしきい値、については、エッジ抽出フィルタ部４１によって抽出されるエッジ成分量が異なるため、エッジ抽出フィルタ部４１のフィルタに対応させて使用する。また、オフセット処理に使用する所定のしきい値をユーザーが設定できるようにするために、オフセットしきい値設定モードを設けてもよい。この場合、図４に示す操作キー部１４に含まれるいわゆる十字キーの上キーおよび下キー等の操作によって、オフセットしきい値を変更できるようにすれば、直感的な操作が可能となり、調整設定の操作性が向上する。
【００４２】
〔画像の重ね方〕
次に、原再生画像とエッジ抽出画像とを重ね合わせるが（ステップＳ５）、この場合の原再生画像とエッジ抽出画像との重ね合わせの方法について説明する。
図１１に示すような、オフセット処理を施したエッジ抽出画像に対して、エッジ抽出されたエッジ成分部分、すなわち図１１の画像における白色の部分、に、例えば赤色や青色などの色をつけることにより、エッジ部を強調した強調エッジ画像を形成する。
次に、図９のような原再生画像と強調エッジ画像とを重ね合わせる。ここで、原再生画像の画素をＳｘｙ、強調エッジ画像の画素をＥｘｙとする（例えば、ｘは画像左上を０としたときの水平方向の列番号、ｙは左上を０としたときの垂直方向の行番号とする）。
画像を重ね合わるときに、強調エッジ画像側の画素Ｅｘｙにエッジ成分がある場合（Ｅｘｙ≠０）には、強調エッジ画像の画素Ｅｘｙを使用し、強調エッジ画像側の画素Ｅｘｙにエッジ成分がない場合（Ｅｘｙ＝０）には、再生画像の画素Ｓｘｙを使用する。
このような方法により、原再生画像のエッジ部が強調された図１２のような画像が形成され、合焦確認モード時には、この図１２の画像をＬＣＤモニタ１０等の画像表示装置に表示する（ステップＳ６）。
【００４３】
〔表示の仕方〕
〈表示色〉
上述においては、図１１のオフセット処理を施したエッジ抽出画像に対して、抽出したエッジ成分部分に赤色や青色等の単色の色をつけるものとして説明したが、エッジ成分部分に対する彩色には、単色に限らず複数色を使用してもよい。例えば、エッジ成分の大きさ（強さ）に応じて、黄色、橙色および赤色と３色を階調的に使用したり、あるいは黄色、橙色および赤色の３色だけでなく、これらの中間のレベルに対応する部分を中間階調に相当する色として、エッジ成分の大きさをグラデーションによって視覚的に判断できるようにしてもよい。
【００４４】
〈点滅〉
さらに、抽出したエッジ成分部分が目立つようにするために、強調エッジ画像を重ね合わせていない原再生画像（図９）と、原再生画像に強調エッジ画像を重ね合わせた再生画像（図１２）とを所定の一定周期で交互に表示するようにしてもよい。このように、交互に表示することによって、ユーザーにはエッジ成分部分が点滅しているように見え、エッジ成分部分を目立ち易くすることができる。
上述における抽出したエッジ成分部分の色の変更処理と、原再生画像と強調エッジ画像とを合成した画像を交互に表示する処理とは、それぞれ個別に行ってもよいし、２つを組み合わせて行ってもよい。
【００４５】
〔フィルタ係数変更〕
エッジ抽出フィルタ部４１に同じエッジ抽出フィルタを使用すると、ポートレート等のシーンでは人の顔などが低コントラストであるためエッジ抽出により得られるエッジ成分の大きさが小さくなるが、風景等のシーンは高コントラストであるためエッジ成分の大きさが大きくなる。そこで、撮影シーン毎にエッジ抽出フィルタを変更して、撮影シーンに応じたエッジ抽出を行うようにする。例えば、ポートレートのシーンでは、小さなエッジも抽出できるエッジ抽出フィルタにし、風景のシーンでは、大きなエッジだけを抽出できるエッジ抽出フィルタにする。
撮影シーンの判別については、カメラの機能としてシーンモードがあるときには撮影画像のＥｘｉｆ（Exchangeable image file format for digital still camera）データとして選択したシーンモードを登録しておき、再生時にその情報を使用するようにすればよい。また、撮影画像から画像解析によって撮影シーンを判断するようにしても良く、その場合には、撮影画像の色分布や、輝度分布から推測する方法など、幾つかの方法が既に開示されているのでここでは詳細な説明を省略する。
【００４６】
なお、上述においては、エッジ抽出処理に、２次元フィルタ係数マトリクスによる空間フィルタを用いる場合について説明したが、他のエッジ抽出手法を用いるようにしても良い。２次元画像空間におけるエッジの抽出とは、空間位置についての輝度情報の変化の大きい部分の抽出であるので、実質的に輝度情報の空間微分をとるかまたはそれに準じた情報を求めることができる手法であれば、どのような手法を用いるようにしても良い。
上述したように、撮影画像の再生時に、合焦確認モードが選択された場合、撮影画像のエッジ成分を抽出し、抽出したエッジ成分と原再生画像とを重ね合わせて表示することにより、撮影画像における合焦個所の分布状況を容易に判断することができる。
さらに、抽出したエッジ成分を他の部分と区別し易い色に彩色して、再生画像に重ね合わせることにより、ユーザーにエッジ部分の状況、つまり合焦部分の状況、を効果的に認識させることができる。
さらに、抽出したエッジ成分によるエッジ画像を原再生画像に重ね合わせた画像と、原再生画像とを所定の周期で切り換え表示することによって、ユーザーにはエッジ成分が点滅しているように見え、エッジ部分を効果的に認識させることができる。
また、抽出されるエッジ成分にオフセット処理を施し、微細なエッジ成分は検出されないようにすることによって、エッジ成分の大きい部分だけが表示されるので、容易にエッジ成分の大きい部分を視認することができる。
そして、撮影シーンに応じてエッジ抽出フィルタの係数を変更することにより、撮影シーンの種類が、低コントラストでエッジが検出されにくい撮影シーンの画像である場合にも効果的にエッジを検出することができる。
【図面の簡単な説明】
【００４７】
【図１】本発明の撮像装置の一つの実施の形態に係るディジタルカメラの制御系のシステムブロック構成を模式的に示すブロック図である。
【図２】図１に示すシステムブロック構成が搭載されたディジタルカメラの平面側から見た外観を模式的に示す上面図である。
【図３】図２のディジタルカメラの正面の被写体側から見た外観を模式的に示す正面図である。
【図４】図２のディジタルカメラの背面の撮影者側から見た外観を模式的に示す背面図である。
【図５】図１のディジタルカメラの合焦確認モードにおけるシステム制御動作を示すフローチャートである。
【図６】図１のディジタルカメラにおけるエッジ強調処理部の機能を示す機能ブロック図である。
【図７】図１のディジタルカメラのエッジ強調処理部におけるエッジ抽出フィルタの一例を示す図である。
【図８】図１のディジタルカメラのエッジ強調処理部におけるローパスフィルタの一例を示す図である。
【図９】図１のディジタルカメラのエッジ強調処理に供される原再生画像の一例を示す図である。
【図１０】図１のディジタルカメラのエッジ強調処理におけるエッジ抽出処理により得られたエッジ成分画像の一例を示す図である。
【図１１】図１のディジタルカメラのエッジ強調処理におけるエッジ抽出処理に加えてオフセット処理された主要なエッジ成分画像の一例を示す図である。
【図１２】図１のディジタルカメラのエッジ強調処理におけるエッジ抽出処理に加えてオフセット処理された主要なエッジ成分画像を原再生画像と重ね合わせたエッジ強調画像の一例を示す図である。
【符号の説明】
【００４８】
１  サブ液晶ディスプレイ（サブＬＣＤ）
２  レリーズボタン
３  ストロボ発光部
４  撮影／再生切り換えダイヤル
５  測距ユニット
６  リモートコントロール（リモコン）受光部
７  鏡胴ユニット
８  オートフォーカス表示用発光ダイオード（ＡＦ表示用ＬＥＤ）
９  ストロボ表示用発光ダイオード（ストロボ表示用ＬＥＤ）
１０  液晶ディスプレイモニタ（ＬＣＤモニタ）
１１  光学ファインダ（対物面側１１ａ、接眼部側１１ｂ）
１２  ズームボタン
１３  電源スイッチ
１４  操作キー部
１５  メモリカード装填部
４０  エッジ強調処理部
４１  エッジ抽出フィルタ部
４２  ゲイン乗算部
４３  ローパスフィルタ（ＬＰＦ）部
４４  データ加算部
１０１  撮像素子
１０２  フロントエンド部
１０３  ＳＤＲＡＭ（シンクロナスダイナミックランダムアクセスメモリ）
１０４  カメラプロセッサ
１０７  ＲＡＭ（ランダムアクセスメモリ）
１０８  ＲＯＭ（リードオンリメモリ）
１０９  サブ中央処理部（サブＣＰＵ）
１１０  操作部
１１１  サブＬＣＤドライバ
１１３  ブザー
１１４  ストロボ回路
１１５  音声記録ユニット
１１６  音声再生ユニット
１１７  ＬＣＤドライバ
１１８  ビデオアンプ（ビデオ増幅器）
１１９  ビデオコネクタ
１２０  内蔵メモリ
１２１  メモリカードスロット
１２２  ＵＳＢ（ユニバーサルシリアルバス）コネクタ
１２３  シリアルインタフェース部
７−１  ズーム光学系
７−１ａ  ズームレンズ
７−１ｂ  ズームモータ
７−２  フォーカス光学
７−２ａ  フォーカスレンズ
７−２ｂ  フォーカスモータ
７−３  絞りユニット
７−３ａ  絞り
７−３ｂ  絞りモータ
７−４  シャッタユニット
７−４ａ  シャッタ
７−４ｂ  シャッタモータ
７−５  モータドライバ
１０２−１  相関２重サンプリング部（ＣＤＳ）
１０２−２  自動利得制御部（ＡＧＣ）
１０２−３  Ａ／Ｄ（アナログ−ディジタル）変換部
１０２−４  タイミングジェネレータ（ＴＧ）
１０４−１  第１の撮像信号処理ブロック
１０４−２  第２の撮像信号処理ブロック
１０４−３  ＣＰＵ（中央処理部）ブロック
１０４−４  ローカルＳＲＡＭ（ローカルスタティックランダムアクセスメモリ）
１０４−５  ＵＳＢ処理ブロック
１０４−６  シリアル処理ブロック
１０４−７  ＪＰＥＧコーデック（ＣＯＤＥＣ）ブロック
１０４−８  リサイズ（ＲＥＳＩＺＥ）ブロック
１０４−９  ビデオ信号表示ブロック
１０４−１０  メモリカードコントローラブロック
１１５−１  音声記録回路
１１５−２  マイクアンプ
１１５−３  マイク（マイクロフォン）
１１６−１  音声再生回路
１１６−２  オーディオアンプ（オーディオ増幅器）
１１６−３  スピーカ
１２３−１  シリアルドライバ回路
１２３−２  シリアルコネクタ
【図１】
2010016783.tif 000003
【図２】
2010016783.tif 000004
【図３】
2010016783.tif 000005
【図４】
2010016783.tif 000006
【図５】
2010016783.tif 000007
【図６】
2010016783.tif 000008
【図７】
2010016783.tif 000009
【図８】
2010016783.tif 000010
【図９】
2010016783.tif 000011
【図１０】
2010016783.tif 000012
【図１１】
2010016783.tif 000013
【図１２】
2010016783.tif 000014